(57)【特許請求の範囲】
【請求項１】
既存の屋根の軒を補修して得られる補修構造であって、
前記軒の先端に位置する水下側の端面が揃えられると共に、前記軒の先端と前記軒の裏側とに平滑化処理が施されている、
屋根の補修構造。
【請求項２】
前記軒の裏側に当てられた板部材を備え、
前記板部材の一端と前記軒の先端とが揃えられた状態で前記板部材が前記軒の裏側に当てられることにより、前記平滑化処理が施されている、
請求項１に記載の屋根の補修構造。
【請求項３】
前記軒の先端には、下方に折り曲げられた尾垂れが形成されており、前記板部材は、前記尾垂れの裏側に当てられている、
請求項２に記載の屋根の補修構造。
【請求項４】
前記軒に取り付けられた面戸を備え、
前記軒の先端から前記面戸までの距離を延長させる処理が施されている、
請求項１〜３のいずれか一項に記載の屋根の補修構造。
【請求項５】
既存の屋根の軒を補修する補修方法であって、
前記軒の先端に位置する水下側の端面を揃えると共に、前記軒の先端と前記軒の裏側とに平滑化処理を施す、
屋根の補修方法。
【発明の詳細な説明】
【技術分野】
【０００１】
本発明は、屋根の軒を部分補修して得られる屋根の補修構造、及び屋根の補修方法に関する。
【背景技術】
【０００２】
実開平６−５６２６４号公報には、既設のスレート屋根の改修に関する補修構造及び補修方法が記載されている。この補修構造及び補修方法では、スレート屋根の上に折板構造の金属製屋根板が被せられ、この屋根板が剣先ボルト及びナット等の締結具によって母屋に締結されることによって改修屋根を形成している。既存のスレート屋根の軒先には軒先用の下地金物が取り付けられる。この下地金物は、スレート屋根の上面に固定されて所定方向に延びる基端部と、基端部から上向きに折り曲げられる傾斜部と、傾斜部の上端から所定方向に延びる平面部と、平面部の先端で垂下する脚部と、を備えている。
【０００３】
また、この補修構造は、軒先面戸と、軒先水切りとを備える。軒先面戸は、スレート屋根の１つの凸凹に対応する台形状となっている。軒先面戸の下端には軒先水切りを係止させる係止片が設けられている。軒先水切りには、係止片に係止される折曲部と、折曲部から所定の方向に延びると共に下地金物に固定される面と、この面の先端で垂下して下部に水切りを形成する化粧面とが設けられる。この水切りの上方には、化粧面より更に先端側に突出する軒先化粧フレームが設けられている。
【先行技術文献】
【特許文献】
【０００４】
【特許文献１】実開平６−５６２６４号公報
【発明の概要】
【発明が解決しようとする課題】
【０００５】
前述の補修構造では、水切りの上方に、化粧面よりも更に先端側に突出する軒先化粧フレームが設けられている。従って、化粧面の先端と軒先化粧フレームの先端とが揃っていない。このように軒における各部材の先端が揃っていない場合、軒における水の流速が低下すると共に、表面張力によって水が先端から軒の裏側に回り込みやすくなる。軒の裏側に回り込んだ水は、建物の内部に入り込むという問題を生じさせる可能性がある。
【０００６】
本発明は、軒の裏側への水の回り込みを抑制することができる屋根の補修構造、及び屋根の補修方法を提供することを目的とする。
【課題を解決するための手段】
【０００７】
本発明に係る屋根の補修構造は、既存の屋根の軒を補修して得られる補修構造であって、軒の先端に位置する水下側の端面が揃えられると共に、軒の先端と軒の裏側とに平滑化処理が施されている。
【０００８】
この屋根の補修構造では、軒の先端が揃えられると共に、軒の先端と軒の裏側とに平滑化処理が施されている。従って、軒の表側から流れてきた水は、平滑化された軒の先端に達したときに下方にスムーズに流れやすくなるので、水が軒の裏側に回り込むのを抑制することができる。また、仮に水が軒の裏側に回り込んだとしても、軒の裏側に平滑化処理が施されていることにより、軒の裏面に対する水の表面張力を小さくすることができるので、水を速やかに落下させることができる。このように速やかに水切りを行うことができるので、軒の裏側に回り込んだ水が建物の内部に入り込む事態を回避することができる。
【０００９】
また、軒の裏側に当てられた板部材を備え、板部材の一端と軒の先端とが揃えられた状態で板部材が軒の裏側に当てられることにより、平滑化処理が施されていてもよい。この場合、軒の裏側に板部材を当てることによって、屋根の軒の部分に生じた亀裂、ひび割れ又は穴等を塞ぐと共に、軒を補強することができる。よって、軒の部分に生じた亀裂等から水が浸入する事態を回避することができる。また、板部材は、その一端と軒の先端とが揃えられた状態で軒の裏側に当てられ、これにより軒の先端と軒の裏側との平滑化処理が行われる。従って、この板部材によって、軒を補強することができると共に、水が軒の先端から軒の裏側に回り込みにくくすることができる。
【００１０】
また、軒の先端には、下方に折り曲げられた尾垂れが形成されており、板部材は、尾垂れの裏側に当てられていてもよい。このように軒の先端が下方に折り曲げられた尾垂れを形成することにより、軒の表側に流れる水の速度を速めることができるので、軒の先端における水切りを一層良好に行うことができる。従って、軒の先端から軒の裏側に水が回り込む事態をより確実に回避することができる。
【００１１】
また、軒に取り付けられた面戸を備え、軒の先端から面戸までの距離を延長させる処理が施されていてもよい。このように、軒の先端から面戸までの距離を延長させる場合、軒の裏側で平滑化された領域を長くすることができる。従って、たとえ軒の裏側に水が回ったとしても、水が面戸に達しにくくなるので、水が建物の内部に入り込む事態を一層確実に回避することができる。
【００１２】
本発明に係る屋根の補修方法は、既存の屋根の軒を補修する補修方法であって、軒の先端に位置する水下側の端面を揃えると共に、軒の先端と軒の裏側とに平滑化処理を施す。
【００１３】
この屋根の補修方法では、軒の先端が揃えられると共に、軒の先端と軒の裏側とに平滑化処理が施される。従って、前述の補修構造と同様、軒の先端と軒の裏側とに平滑化処理が施されているので、軒の表側から流れてきた水は、平滑化された軒の先端に達したときに下方にスムーズに流れやすくなる。よって、水が軒の裏側に回り込むのを抑制することができる。また、仮に水が軒の裏側に回り込んだとしても、軒の裏側に平滑化処理が施されていることにより、軒の裏面に対する水の表面張力を小さくすることができるので、水を速やかに落下させることができる。このように速やかに水切りを行うことができるので、軒の裏側に回り込んだ水が建物の内部に入り込む事態を回避することができる。
【発明の効果】
【００１４】
本発明によれば、軒の裏側への水の回り込みを抑制することができる。
【図面の簡単な説明】
【００１５】
【図１】実施形態に係る屋根の補修構造を示す斜視図である。
【図２】図１の補修構造を示す断面図である。
【図３】図１の補修構造における尾垂れの周辺を示す断面図である。
【図４】図１の補修構造における水の流れを示す断面図である。
【図５】従来の補修構造における水の流れを示す断面図である。
【図６】軒の先端から屋根の面戸までの距離を延長させる処理の例を示す図である。
【発明を実施するための形態】
【００１６】
以下、図面を参照しながら本発明の実施形態を詳細に説明する。図面の説明において同一又は同等の要素には同一の符号を付し、重複する説明を省略する。
【００１７】
図１及び図２に示されるように、本実施形態に係る補修構造１は、既存のルーフデッキ（屋根）１０における軒１１を部分補修して得られる構造である。補修前の軒１１には、例えば老朽化等によって穴が空いていたり、切れ込みが入っていたり、或いは割れが生じていたりしており、このような軒１１を補修することによって補修構造１が得られる。なお、軒１１に上記のような穴等がある場合には、その穴等から雨水等が浸入し、雨漏りの原因となりうる。
【００１８】
ルーフデッキ１０は、台形状を成す山部１０ａと谷部１０ｂとを交互に繰り返す波形鋼板であり、山部１０ａと谷部１０ｂとは、傾斜部１０ｃ，１０ｄを介して連続している。ルーフデッキ１０は、例えばガルバリウム鋼板である。図１の例では、４つの山部１０ａと３つの谷部１０ｂとが交互に並んだルーフデッキ１０を示している。この例では、一のルーフデッキ１０の一端に位置する山部１０ａと隣接するルーフデッキ１０の他端に位置する山部１０ａとが重ね合されて、その重ね合された部分が緊結ボルト１２で固定されることによって、各ルーフデッキ１０が連結されている（重ね式折板である）。
【００１９】
雨水等の水は、ルーフデッキ１０の谷部１０ｂに集められ、谷部１０ｂ上を軒１１に向かって流れる。ルーフデッキ１０の水勾配は、例えば１／５０である。補修構造１では、ルーフデッキ１０の谷部１０ｂの先端側に位置する軒１１に対して補修が行われており、軒１１に対して平滑化処理が施されている。
【００２０】
ここで、本明細書において「平滑」とは、平坦又は緩やかに湾曲した状態を示しており、水の速度を低下させる程度に突出した部分、凹んだ部分又は粗い部分を有しない滑らかな面を示している。また、「平滑化処理」とは、上記のように突出した部分、凹んだ部分又は粗い部分に対して、当該部分の除去又は被覆等を行って、当該部分を平滑にすることを示している。以下では、補修構造１に対して行われた平滑化処理の一例について説明する。
【００２１】
補修構造１は、軒１１の裏側に当てられた板部材２０を備えている。板部材２０は、ルーフデッキ１０の谷部１０ｂに沿った台形状となっている。板部材２０は、谷部１０ｂの外側且つ裏側に当てられる。板部材２０の厚さは、薄い方が好ましく、例えば０．４〜０．６ｍｍとなっている。板部材２０が薄い場合には、ルーフデッキ１０に対するなじみを良くすることができると共にルーフデッキ１０に対する接着力を高めることができる。
【００２２】
板部材２０は、例えば鉄製の平板を折り曲げ加工して形成されている。板部材２０は、谷部１０ｂに下から当てられる底部２１と、ルーフデッキ１０の一方の傾斜部１０ｃに下から当てられる傾斜部２２と、ルーフデッキ１０の他方の傾斜部１０ｄに下から当てられる傾斜部２３とを有する。底部２１は谷部１０ｂの外面に接触し、傾斜部２２は傾斜部１０ｃの外面に接触し、傾斜部２３は傾斜部１０ｄの外面に接触する。
【００２３】
ルーフデッキ１０の傾斜部１０ｃ，１０ｄと、板部材２０の傾斜部２２，２３とは、ルーフデッキ１０の表側から挿入されたビス２４，２５によって固定されている。すなわち、傾斜部１０ｃ，１０ｄと、傾斜部２２，２３とは、例えば、先が尖ったビス２４，２５が打ち込まれることによって固定される。ここで、ルーフデッキ１０の水下側の先端（軒先）と板部材２０の端面とは揃えられている。
【００２４】
ここで、本明細書において「軒の先端が揃えられる」とは、上記のように、既存の軒の先端に別の部材を貼り合わせて、既存の軒の先端と当該部材の端面とを揃えることだけでなく、既存の軒の先端に対して被覆、塗装又は部材の除去等を行うことによって、既存の軒の先端を揃える（例えば図３に示されるように軒の先端の断面を直線状にする）ことも含まれる。本実施形態では、底部２１の先端（一端）２１ａと谷部１０ｂの先端１０ｅとが揃えられ、傾斜部２２の先端２２ａと傾斜部１０ｃの先端１０ｆとが揃えられ、傾斜部２３の先端２３ａと傾斜部１０ｄの先端１０ｇとが揃えられている。
【００２５】
図３に示されるように、板部材２０の底部２１は、接着部材２６によって谷部１０ｂの裏面に貼り付けられている。接着部材２６は、例えば、両面テープであり、接着部材２６の材料はブチルゴムである。ただし、接着部材２６の材料は、ブチルゴムでなくてもよく、防水性及び止水性を備え且つ鉄板同士を接着可能な材料であれば別の材料を用いることも可能である。この接着部材２６の先端２６ａは、谷部１０ｂの先端１０ｅ、及び底部２１の先端２１ａに揃えられている。
【００２６】
図１及び図３に示されるように、補修構造１は、尾垂れ３０を備えている。尾垂れ３０は、軒１１の根元側（水上側）に対して先端１０ｅ側（水下側）が下方に折り曲げられて形成されている。尾垂れ３０は、例えば、板部材２０をルーフデッキ１０の裏側に取り付けた後に、ペンチ又は金バサミ等によって曲げられることによって形成される。谷部１０ｂの上面と尾垂れ３０の上面とがなす角度θは、ルーフデッキ１０に切れ目が生じない範囲で最大とすることが好ましい。具体的には、角度θは１５°程度であることが好ましい。角度θをこのような値にすることによって、補修構造１における水切り性状が高められる。また、尾垂れ３０の長さ（水の流れ方向の長さ）は、例えば１５ｍｍである。
【００２７】
なお、尾垂れ３０の角度θ及び長さは、上記に限定されることなく、適宜変更可能である。また、図３では、尾垂れ３０の丁度裏面に板部材２０の底部２１が設けられており、尾垂れ３０の長さと底部２１の長さとが同一となっている。しかしながら、尾垂れ３０の長さよりも底部２１の長さが長くてもよい。この場合、板部材２０が尾垂れ３０よりも水上側に延びることになるが、この延びた部分は尾垂れ３０の曲げに沿って曲げられることとなる。
【００２８】
次に、ルーフデッキ１０の補修方法の一例について説明する。この補修方法は、ルーフデッキ１０の軒１１を部分補修する方法である。まず、板部材２０を用意する。次に、谷部１０ｂの先端１０ｅと底部２１の先端２１ａとを揃え、傾斜部１０ｃの先端１０ｆと傾斜部２２の先端２２ａとを揃え、傾斜部１０ｄの先端１０ｇと傾斜部２３の先端２３ａとを揃えた状態で、板部材２０を接着部材２６によって軒１１の裏側に貼り付ける。
【００２９】
その後、ビス２４，２５によって傾斜部２２，２３と傾斜部１０ｃ，１０ｄとを固定させることにより、板部材２０をルーフデッキ１０の裏に固定させる。このように板部材２０をルーフデッキ１０に取り付けることによって、ルーフデッキ１０の先端と板部材２０の先端とは揃えられる。そして、板部材２０が軒１１に取り付けられることにより、軒１１の先端（先端１０ｅ，１０ｆ，１０ｇ及び先端２１ａ，２２ａ，２３ａ）に平滑化処理が施されると共に、ルーフデッキ１０の谷部１０ｂの裏側に平坦な底部２１が当てられることによって軒１１の裏側２１ｂにも平滑化処理が施されている。このように平滑化処理を施した後には、ペンチ又は金バサミ等によって尾垂れ３０を形成することにより、補修構造１が完成する。
【００３０】
次に、補修構造１及びルーフデッキ１０の補修方法における作用効果について説明する。まず、ルーフデッキ１０の補修構造１では、図３及び図４に示されるように、軒１１の先端１０ｅ，２６ａ，２１ａが揃えられると共に、軒１１の先端１０ｅ，２６ａ，２１ａと軒１１の裏側２１ｂとに平滑化処理が施されている。このように、補修構造１では、既存のルーフデッキ１０の裏側に処理を施して補修を行っているので、ルーフデッキ１０の表側に段差が生じるのを回避することができ、段差に水Ｗが溜まる事態を回避することができる。
【００３１】
よって、ルーフデッキ１０の表側から流れてきた水Ｗの速度低下を抑制することができるので、水Ｗが軒１１の先端１０ｅ，２６ａ，２１ａから軒１１の裏側２１ｂに回り込むのを抑制することができる。また、補修構造１では、軒１１の先端１０ｅ，２６ａ，２１ａと軒１１の裏側２１ｂとに平滑化処理が施されている。従って、軒１１の表側から流れてきた水Ｗは、平滑化された軒１１の先端１０ｅ，２６ａ，２１ａに達したときに下方にスムーズに流れやすくなる。
【００３２】
また、仮に水Ｗが軒１１の裏側２１ｂに回り込んだとしても、軒１１の裏側２１ｂに平滑化処理が施されていることにより、軒１１の裏側２１ｂに対する水Ｗの表面張力を小さくすることができるので、水Ｗを速やかに落下させることができる。このように速やかに水切りを行うことができるので、軒１１の裏側２１ｂに回り込んだ水Ｗが建物の内部に入り込む事態を回避することができる。
【００３３】
一方、従来のように軒の先端に平坦化処理を施していない場合には、例えば図５（ａ）及び図５（ｂ）に示されるように、水Ｗが軒の裏側に回り込みやすくなる。具体的には、図５（ａ）に示される軒１０１では、既存のルーフデッキ１０２よりも板部材１０３の方が先端側に突出している。この場合、ルーフデッキ１０２の先端と板部材１０３の表面とで形成される隅部Ｃ１に水Ｗが溜まりやすくなり、この隅部Ｃ１において水Ｗの速度が低下する。よって、水Ｗにかかる重力に対して水Ｗにかかる表面張力が相対的に大きくなるので、板部材１０３の先端で水Ｗが板部材１０３の裏側に回り込みやすくなる。このように板部材１０３の裏側に回り込んだ水Wは、速やかに落下せず軒１０１の根元側に進行することとなるので雨漏りの原因ともなりうる。
【００３４】
また、図５（ｂ）に示される軒１１１では、既存のルーフデッキ１１２の方が板部材１１３よりも先端側に突出している。この場合、ルーフデッキ１１２の裏面と板部材１１３の先端とで形成される隅部Ｃ２に水Ｗが溜まりやすくなる。よって、この場合も水Ｗにかかる重力に対して水Ｗにかかる表面張力が相対的に大きくなるので、板部材１１３の裏側に水Ｗが回り込みやすくなる。従って、図５（ａ）に示される場合と同様、水Ｗは、軒１１１の根元側に進行して雨漏りの原因となりうる。
【００３５】
また、本実施形態の補修構造１では、図１に示されるように、軒１１の裏側に当てられた板部材２０を備え、板部材２０の先端２１ａ，２２ａ，２３ａとルーフデッキ１０の先端１０ｅ，１０ｆ，１０ｇとが揃えられた状態で板部材２０が軒１１の裏側に当てられることにより、平滑化処理が行われている。このように、軒１１の裏側に板部材２０を当てることによって、ルーフデッキ１０の軒１１の部分に生じた亀裂、ひび割れ又は穴等を塞ぐことができると共に、軒１１を補強することができる。従って、軒１１の部分に生じた亀裂等から水が浸入する事態を回避することができ、水が軒１１の先端から軒１１の裏側に回り込みにくくすることができる。
【００３６】
また、軒１１の先端には、軒１１の根元側に対して先端側が下方に折り曲げられた尾垂れ３０が形成されており、板部材２０は、尾垂れ３０の裏側に当てられている。このように軒１１の先端が下方に折り曲げられた尾垂れ３０を形成することにより、軒１１の表側に流れる水の速度を速めることができるので、軒１１の先端における水切りを一層良好に行うことができる。従って、軒１１の先端から軒１１の裏側に水が回り込む事態をより確実に回避することができる。
【００３７】
以上、本発明の実施形態について説明したが、本発明は、上記実施形態に限定されるものではなく、各請求項に記載した要旨を変更しない範囲で変形し、又は他のものに適用したものであってもよい。すなわち、本発明は、各請求項の要旨を変更しない範囲で種々の変形が可能である。
【００３８】
例えば、図６に示されるように、既存のルーフデッキ３１の軒先には、折り曲げ板１２１を有する面戸１２０がビス１２２によって固定されていることがあった。このような面戸１２０が固定されている場合、軒４１の先端４１ａからルーフデッキ３１の面戸１２０までの距離が短いので、軒４１の裏側に水が回ったときに速やかに水切りできないことがあった。
【００３９】
しかしながら、例えば上記のような面戸１２０を別の面戸５０に交換することによって、面戸５０の位置を軒４１の先端４１ａから離して、軒４１の先端４１ａからルーフデッキ３１の面戸５０までの距離を延長させる処理が施されていてもよい。このように、軒４１の先端４１ａから面戸５０までの距離を延長させる場合、軒４１の裏側で平滑化された領域を長くすることができる。従って、たとえ軒４１の裏側に水が回ったとしても、速やかに水切りを行うことができ、水が建物の内部に入り込む事態を一層確実に回避することができる。なお、上記の面戸５０までの距離を延長させる措置は、前述の実施形態におけるルーフデッキ１０に対して行うこともできるし、ルーフデッキ１０以外の屋根に対して行うこともできる。
【００４０】
また、軒の先端と軒の裏側とに施す平滑化処理としては種々の態様がある。例えば、既存のルーフデッキにおける軒の裏側には、ポリエチレンフォーム等で構成される断熱材が露出していることがある。このような断熱材が軒の裏側に露出している場合には、断熱材と水との間で働く毛細管現象によって水の引き込みが強くなってしまう。そこで、軒の裏側に露出している断熱材を除去して軒の裏側を平滑な面とすることにより、平滑化処理が行われていてもよい。
【００４１】
更に、軒の先端と軒の裏側を平滑となるように削ったり、軒の先端と軒の裏側とに、ウレタン樹脂塗料等のコーティングを施したり、又は、ペンキ等を塗装することにより、軒の先端と軒の裏側とを平滑な面として平滑化処理を行ってもよい。
【００４２】
また、軒の先端を揃える処理としても種々の態様がある。例えば、既存の軒の先端が欠けている等の理由で、既存の軒に別の部材を貼り合わせても軒の先端が揃わない場合、既存の軒に別の部材を貼り合わせた後に先端に塗装等を施すことによって、軒の先端を揃えてもよい。更に、既存の軒の先端に塗装等を施して欠けている部分等を無くした後に別の部材を貼り合わせることによって、軒の先端を揃えてもよい。このように、「軒の先端が揃えられる」には、既存の軒に別の部材を貼り合わせる前後に先端に加工を施すことによって軒の先端を揃えることも含まれる。
【００４３】
また、前述の実施形態では、ルーフデッキ１０（重ね式折板）の軒１１を補修して得られる補修構造１について説明した。しかしながら、本発明は、ルーフデッキ１０以外の折板屋根（例えば、ハゼ締め型の折板屋根）に対しても適用可能であり、更に、折板以外の屋根に対しても適用可能である。
【符号の説明】
【００４４】
１…補修構造、１０…ルーフデッキ（屋根）、１０ａ…山部、１０ｂ…谷部、１０ｃ，１０ｄ…傾斜部、１０ｅ，１０ｆ，１０ｇ…先端、１１…軒、１２…緊結ボルト、２０…板部材、２１…底部、２１ａ，２２ａ，２３ａ，２６ａ…先端、２２，２３…傾斜部、２４，２５…ビス、２６…接着部材、３０…尾垂れ、３１…ルーフデッキ、４１…軒、４１ａ…先端、５０…面戸、Ｗ…水、θ…角度。
【図１】
0006506127.tif 000002
【図２】
0006506127.tif 000003
【図３】
0006506127.tif 000004
【図４】
0006506127.tif 000005
【図５】
0006506127.tif 000006
【図６】
0006506127.tif 000007